(57)【要約】  スクリーン上に投影される画像を準備するステップと、前記画像を表示する励起光を決定するステップと、前記画像上に配置された光励起層を前記励起光で照射するステップと、を含み、前記光励起層は、前記励起光に基づく可視光の放射のために誘導されるように構成される、スクリーン上の画像投影方法。【選択図】図３
2010524019.tif 000002
【特許請求の範囲】
【請求項１】
スクリーン上に投影される画像を準備するステップと、
前記画像を表示する励起光を決定するステップと、
前記画像上に配置された光励起層を前記励起光で照射するステップと、
を含み、
前記光励起層は、前記励起光に基づく可視光の放射のために誘導されるように構成される、スクリーン上の画像投影方法。
【請求項２】
前記光励起層は、前記励起光を有する前記可視光の放射のために誘導されるように構成される蛍光及び／又は燐光材料を含む蛍光層及び／又は燐光層である、請求項１に記載の方法。
【請求項３】
前記励起光は、前記画像を立ち並べて表示する走査光線である、請求項１又は２に記載の方法。
【請求項４】
前記励起光は、コンプリートイメージを表示する、請求項１又は２に記載の方法。
【請求項５】
前記コンプリートイメージは、マイクロ−ミラーディスプレイにより提供される、請求項４に記載の方法。
【請求項６】
前記コンプリートイメージは、液晶ディスプレイにより提供される、請求項５に記載の方法。
【請求項７】
前記励起光は、少なくとも１つのレーザにより提供される、請求項１〜６のいずれか１項に記載の方法。
【請求項８】
前記励起光は、紫外線レーザにより提供される紫外（ＵＶ）光である、請求項７に記載の方法。
【請求項９】
前記可視光は白色光であり、励起で前記白色光を放出するように構成されるわずか１つの光励起層が用いられ、
カラーフィルターのマスクが、前記白色光をフィルターし、ＲＧＢ色空間の原色に対応する原色光源を出力するように構成される前記１つの光励起層に配置される、請求項７又は８に記載の方法。
【請求項１０】
互いの上に配置され、ＲＧＢ色空間の原色に対応する原色光源を放出するように夫々構成される３つの光励起層が用いられる、請求項７又は８に記載の方法。
【請求項１１】
前記３つの光励起層のうち少なくとも２つは、少なくとも一部分が透明である、請求項１０に記載の方法。
【請求項１２】
前記３つの光励起層の夫々は、前記３つの光励起層の夫々を励起するように構成され、所定の波長を有するレーザ光によって励起される、請求項１０又は１１に記載の方法。
【請求項１３】
前記レーザ光は、異なる所定の波長の紫外光を提供する３つのレーザによって提供される、請求項１２に記載の方法。
【請求項１４】
マイクロレンズは、前記少なくとも１つの光励起層に配置され、
マイクロレンズは、所定の方向に前記可視光を方向付けるように構成される、請求項１〜１３のいずれか１項に記載の方法。
【請求項１５】
前記光励起層は、前記スクリーンの背面から照射され、
前記背面は、ユーザによって視聴される正面の反対側である、請求項１〜１４のいずれか１項記載の方法。
【請求項１６】
ホールを有する反射層は、前記背面に配置され、
前記反射層は、前記正面に対面する反射面を有する、請求項１５に記載の方法。
【請求項１７】
前記励起光は、前記励起光の集められた部分が夫々のホールを照射するように集められる、請求項１５又は１６に記載の方法。
【請求項１８】
前記光励起層は、前記励起光を有する前記可視光の放射のために誘導されるように構成される共鳴散乱材を含む共鳴散乱層であり、
前記励起光及び前記可視光は、実質的に同一の波長を有する、請求項１に記載の方法。
【請求項１９】
画像を表示するように構成されるスクリーンと、
励起光に基づいて可視光の放射のために誘導されるように構成され、前記スクリーンに配置される少なくとも１つの光励起層と、
前記励起光を生成するように構成される投影装置と、
を備え、
前記励起光は、前記画像を表示する、画像投影装置。
【請求項２０】
前記光励起層は、前記励起光を有する前記可視光の照射のために誘導されるように構成される蛍光材料及び／又は燐光材料を含む蛍光層及び／又は燐光層である、請求項１９に記載の画像投影装置。
【請求項２１】
前記投影装置は、前記画像を立ち並べて表示する走査光線の形態で前記励起光を生成するように構成される、請求項１９又は２０に記載の画像投影装置。
【請求項２２】
前記投影装置は、コンプリートイメージを表示する前記励起光を生成するように構成される、請求項１９又は２０に記載の画像投影装置。
【請求項２３】
前記投影装置は、前記コンプリートイメージを提供するように構成されるマイクロ−ミラーディスプレイを含む、請求項２２に記載の画像投影装置。
【請求項２４】
前記投影装置は、前記コンプリートイメージを提供するように構成される液晶ディスプレイを含む、請求項２３に記載の画像投影装置。
【請求項２５】
前記励起光を提供するように構成される少なくとも１つのレーザを含む、請求項１９〜２４のいずれか１項に記載の画像投影装置。
【請求項２６】
前記少なくとも１つのレーザは、紫外光である、請求項２５に記載の画像投影装置。
【請求項２７】
前記少なくとも１つの光励起層は、マスクに少なくとも部分的に含まれる、請求項２５又は２６に記載の画像投影装置。
【請求項２８】
少なくとも３つの励起層は、前記マスクに含まれ、
前記３つの光励起層は、夫々、ＲＧＢ色空間の原色に対応する赤色、緑色、及び青色の可視光を生成するように構成される、請求項２７に記載の画像投影装置。
【請求項２９】
前記少なくとも３つの光励起層は、前記スクリーン上に表示される画像のサブピクセルを形成する、請求項２８に記載の画像投影装置。
【請求項３０】
前記励起光での励起により白色光を放出するように構成されるわずか１つの光励起層と、
前記白色光にフィルターをかけ、前記ＲＧＢ色空間の原色に対応する原色光源を出力するように構成される、前記１つの光励起層に配置されるカラーフィルターと、
を備える、請求項２５又は２６に記載の画像投影装置。
【請求項３１】
前記励起光での励起により白色光を放出するように構成されるわずか１つの光励起層と、
前記光励起層に配置されるマスクと、
を備え、
前記マスクは、前記白色光にフィルターをかけ前記ＲＧＢ色空間の原色に対応する原色光源を出力するように構成されるカラーフィルターを含む、請求項２５又は２６に記載の画像投影装置。
【請求項３２】
ＲＧＢ色空間の原色に対応する原色光を放射するように夫々構成され、互いの上に配置される３つの光励起層を備える、請求項２５又は２６に記載の画像投影装置。
【請求項３３】
前記３つの光励起層のうちの少なくとも２つは、少なくとも部分的に透明である、請求項３２に記載の画像投影装置。
【請求項３４】
前記３つの光励起層の夫々を励起するために適当な所定の波長の光を放射するように夫々構成される３つの層を備える、請求項３２又は３３に記載の画像投影装置。
【請求項３５】
前記３つのレーザは、紫外レーザである、請求項３４に記載の画像投影装置。
【請求項３６】
前記少なくとも１つの励起層は、光励起材料の複数のピクセルを含み、
当該光励起材料は、ＲＧＢ色空間の原色に対応する原色光を放射するように夫々構成される、請求項１９〜３５のいずれか１項に記載の画像投影装置。
【請求項３７】
ホールを有するマスクを備え、
前記複数のピクセルは、前記ホールの少なくとも一部分の中に、又は当該一部分の下に配置される、請求項３６に記載の画像投影装置。
【請求項３８】
前記投影装置は、前記スクリーンの背面から前記光励起層を照射するように構成され、
前記背面は、ユーザによって視聴される正面の反対側である、請求項１９〜３６のいずれか１項に記載の画像投影装置。
【請求項３９】
ホールを有する反射層が、前記背面上に配置され、
前記反射層は、前記正面に対面する反射面を有する、請求項３８に記載の画像投影装置。
【請求項４０】
実質的に夫々のホールの中の焦点で前記励起光を集めるように構成されるマイクロレンズを備える、請求項３８又は３９に記載の画像投影装置。
【請求項４１】
前記光励起層は、前記励起光を有する前記可視光の放射のために誘導されるように構成される共鳴材料を含む共鳴層であり、
前記励起光及び前記可視光は、実質的に同一の波長を有する、請求項１９に記載の画像投影装置。
【請求項４２】
スクリーン上に配置される少なくとも１つの光励起層を備え、
前記光励起層は、励起光に基づく可視光の放射のために誘導されるように構成される、画像投影スクリーン。
【請求項４３】
前記励起光は、紫外光である、請求項４２に記載の画像投影スクリーン。
【請求項４４】
前記スクリーン上の互いの上に配置され、ＲＧＢ色空間の原色に対応する原色光を放射するように夫々構成される少なくとも３つの励起層を備える、請求項４２又は４３に記載の画像投影スクリーン。
【発明の詳細な説明】
【技術分野】
【０００１】
本発明は、画像投影方法、画像投影装置、及び画像投影スクリーンに関する。
【背景技術】
【０００２】
今日、画像がスクリーン上に投影されるところには、様々な応用されたシナリオが存在する。例えば、画像がテレビのスクリーンに投影されるものとしては、テレビジョンセット又は類似の装置がある。このような応用では、画像は、ユーザによって視聴されるスクリーンの正面側とは反対側であるスクリーンの背面側から、上記スクリーンに投影される。
【発明の概要】
【発明が解決しようとする課題】
【０００３】
一方で、画像がスクリーン上に投影され、ユーザにより視聴されるスクリーンによって反射されるところに、正面側の投影を有するスクリーンが存在する。このような応用では、投影装置（プロジェクタ）は、映像を視聴するユーザとスクリーンと同じ側にある。
【課題を解決するための手段】
【０００４】
本発明の目的とするところは、高い画像品質を実現する、スクリーン上での画像投影方法及び画像投影装置を提供することにある。
【０００５】
上記目的は、請求項１、１８、及び３７に記載の画像投影方法、画像投影装置、及び画像投影スクリーンによって解決される。
【０００６】
本発明の他の詳細については、図面及び以下の記載の説明から明らかになるだろう。
【図面の簡単な説明】
【０００７】
【図１】本発明の一実施形態に係る方法のステップを示す。
【図２】光励起層の一実施例を示す。
【図３】背面投影に基づく本発明の一実施形態を示す。
【図４】背面投影に基づく本発明の一実施形態を示す。
【図５】光励起部分を含むマスクが利用される本発明の一実施形態を示す。
【図６】カラーフィルターを含む本発明の他の実施形態を示す。
【図７】マイクロレンズが用いられ、且つ／又は可視光が反射層によって反射される本発明の他の実施形態を示す。
【発明を実施するための形態】
【０００８】
以下では、本発明の実施形態について説明する。以下で説明する全ての実施形態は、どのように組み合わされてもよいということ、すなわち、説明するある実施形態を他の実施形態と組み合わせてはならないという限定はないということに留意することは重要である。
【０００９】
図１は、本発明の実施形態に係る画像投影方法のステップを示す。第１ステップＳ１００では、スクリーン上に投影される画像が準備される。上記画像は、例えば、静止した画像／絵又は動いている画像／絵に対応していてもよい。
【００１０】
第２ステップＳ１０２では、励起光が決定され、当該励起光は、画像を表示する。励起光は、励起層を励起するために適当な所定の波長を有していてもよい。更に、励起光は、画像を表示するために調節された光に対応していてもよい。
【００１１】
第３ステップＳ１０３では、少なくとも１つの光励起層が励起光で照射され、上記光励起層はスクリーン上に配置される。光励起層は、励起光に基づく可視光の放射のために誘導されてもよい。
【００１２】
光励起層は、例えば、紫外光等と共に可視光の放射のために誘導されるように構成される蛍光材料及び／又は燐光材料を含む蛍光層及び／又は燐光層である。
【００１３】
ステップＳ１０２で、画像を表示する励起光を決定する際、画像を立ち並べて（line-wise）表示する走査光線として励起光を決定することが可能であってもよい。すなわち、走査光線は、スクリーン上の画像を生成するために、光励起層の異なるピクセル、線、及び／又は領域を励起するために用いられてもよい。
【００１４】
また、励起光は、コンプリートイメージ（complete image）を表示してもよい。このように、ステップＳ１０２では、励起光は、例えば、液晶ディスプレイによって提供されてもよいコンプリートイメーを表示してもよい。
【００１５】
また、励起光は、レーザによって提供されてもよい。励起光は、可視光又は可視でない光であってもよい。励起層を励起するための他の種類の光線を用いることも可能である。光励起層は、光励起層がないスクリーン上に画像を投影するためのレーザを用いることと比較し、スペックルの低減をもたらしてもよいレーザ光のコヒーレンスを乱してもよい。このようにして、上記スクリーン上の画像は、邪魔なスペックルがなく、非常にシャープであってもよい。
【００１６】
図２は、第１の低エネルギー準位（基底状態）２０２、高エネルギー準位（中間準位）２０４、及び第２の低エネルギー準位２０６を含む光励起層２００の一実施例を示す。
【００１７】
上記光励起装置２００が紫外光２０８で照射される際、光励起層２００の分子及び／又は原子の電子は、上記高エネルギー準位２０４に励起される。励起された電子が第２の低エネルギー準位２０６に落ちる際、可視光２１０が放射される。
【００１８】
このようにして、紫外領域の光子ｈν１は、例えば、分子によって吸収され、電子を基底状態２０２から不安定な中間準位２０４に励起する。結果として、可視（ＶＩＳ）領域の低エネルギーの光子ｈνｓは、電子の遷移を介して、放射される。このようにして、可視光２１０が放射される。
【００１９】
本発明の一実施形態に係る画像投影装置及び／又はスクリーンは、スクリーン上に配置される少なくとも１つのこのような光励起層を含んでいてもよい。次いで、投影装置は、紫外光（励起光）を生成するために用いられてもよく、励起光はスクリーン上に表示される画像を表示する。
【００２０】
投影装置は、立ち並べて表示される画像を表示する走査光線の形態で、励起光を生成するように構成されていてもよい。光励起層は、例えば、蛍光層であってもよい。
【００２１】
図３Ａは、ユーザ３０３に視聴方向３０１から視られる場合、プロジェクタ３００がスクリーン３０４の背後に位置する背面投影に係る典型的な実施形態を示す。
【００２２】
プロジェクタ３００は、例えば、少なくとも１つの紫外レーザによって生成される紫外光３０２を、スクリーン３０４の基板３０８に配置される蛍光層３０６上に放出する。蛍光層３０６は、紫外光３０２を吸収し、蛍光層の分子の電子を中間準位に励起する。結果として、可視領域の散乱光３１０は、電子の遷移を介して放射される。
【００２３】
図３Ｂは、図３Ａの領域３１１の拡大図を示す。図に示すように、可視光３０２は、第１の波長λＵＶ１の第１の紫外光３０２−１、波長λＵＶ２の第２の紫外光３０２−２を含み、（図示しないが）波長λＵＶ３の第３の紫外光を含んでいてもよい。波長λＵＶ１、λＵＶ２、及びλＵＶ３は、夫々、第１の蛍光層３０６−１、第２の蛍光層３０６−２、及び第３の蛍光層３０６−３で電子を励起するために選択される。すなわち、蛍光層３０６−１、３０６−２、及び３０６−３は、夫々、異なる波長の紫外光により励起可能である。励起により、蛍光層３０６−１、３０６−２、３０６−３は、可視領域の波長の第１から第３の散乱光３１０−１、３１０−２、３１０−３を放出する。第１の散乱光３０１−１は、第１の波長λＶＩＳ１を有していてもよく、第２の散乱光３１０−２は、第２の波長λＶＩＳ２を有していてもよく、第３の散乱光３１０−３は、第３の波長λＶＩＳ３を有していてもよい。波長λＶＩＳ１、λＶＩＳ２、及びλＶＩＳ３は、夫々の色光源に対応していてもよい。例えば、第１の散乱光３１０−１は、原色光“赤”（ＲＧＢ色空間のＲ）に対応していてもよい。更に、第２の散乱光３１０−２は、ＲＧＢ色空間の緑色の光に対応していてもよく、第３の散乱光３１０−３は、ＲＧＢ色空間の青色の光に対応していてもよい。
【００２４】
このようにして、図３の実施形態によれば、第１〜第３の蛍光層３０６−１、３０６−２、３０６−３の光放射を混合／制御することに基づく実際の色画像を生成することが可能である。
【００２５】
上述したように、第１〜第３の紫外光３０２−１、３０２−２、３０２−３は、スクリーン３０４の背面を走査する紫外レーザによって提供されてもよい。すなわち、上記スクリーン３０４上に画像を生成するために、第１〜第３の蛍光層３０６−１、３０６−２、３０６−３の異なるピクセル、ライン、及び／又は領域が、夫々、第１〜第３の紫外光３０２−１、３０２−２、３０３−３によって励起される。
【００２６】
第１の蛍光層３０６−１で生成された第１の散乱光３１０−１が、ユーザ３０３によって視聴されるスクリーン３０４の正面側に対し、第２及び第３の蛍光層３０６−２、３０６−３を通して伝達されるように、少なくとも第２の蛍光層３０６−２及び第３の蛍光層３０６−３は、少なくとも部分的に透明であってもよい。
【００２７】
また、プロジェクタ３００が、立ち並べる表示とは対照的に、コンプリートイメージを表示するために紫外光３０２を生成してもよいということは、留意すべき点である。この場合、プロジェクタ３００は、光源、マイクロシャッター、及び／又は液晶ディスプレイを含んでいてもよい。このようにして、プロジェクタ３００は、マイクロ−ミラーディスプレイ等に基づいたプロジェクタから知られているような類似の方法でコンプリートイメージを生成してもよい。
【００２８】
図４Ａは、ユーザ４０１が、プロジェクタ型の装置等のプロジェクタ４００から見て、スクリーン４０４と同じ側に位置する。プロジェクタ４００は、スクリーン４０４の基板４０５の蛍光層４０７上に、異なる波長の紫外光４０２を放射する。紫外光４０２は、可視光４０６を放射するために蛍光層４０７で電子を励起する。可視光４０６は、スペックルや他の歪みがなく、満足な画像がユーザ４０１に表示されるように、例えば、散乱光であってもよい。
【００２９】
図４Ｂは、図４Ａの領域４０８の拡大図を示す。波長λＵＶの光線４０２−１は、第１〜第３の蛍光層４０７−１、４０７−２、４０７−３を含む蛍光層４０７上に放射される。光線４０２−１の波長λＵＶは、第２の蛍光層４０７−２の電子を励起するように構成され、第１及び第３の蛍光層４０７−１、４０７−３の電子は励起されない。光線４０２−１による第２の蛍光層４０７−２の電子の励起は、可視領域の波長λＵＶを有する可視光４０６の放射をもたらす。
【００３０】
照明の強度を上げるために、スクリーン４０４の基板４０５に反射コーティング４０９を提供することが可能である。反射コーティング４０９は、（正反射性又は散乱性の）全て又は一部分の可視光４０６を半球体に、すなわち、ユーザ４０１に向けて反射してもよい。すなわち、反射コーティング４０９は、基板４０５に向かう方向に放射される可視光４０６の少なくとも一部分を反射してもよい。
【００３１】
図４Ｂの実施形態では、第１〜第３の蛍光層４０７−１、４０７−２、４０７−３は、紫外光４０２及び可視光４０６を透過可能なものとするために、少なくとも部分的に透明であってもよい。
【００３２】
プロジェクタ４００は、紫外レーザで紫外光４０２を生成してもよい。更に、紫外光４２は、立ち並べて又は完全な状態でスクリーン４０４に投影される画像を表示してもよい。
【００３３】
図５は、サブピクセルとして呼ばれることもある異なる蛍光層を含むマスクを示す。適用に応じて、３つのサブピクセルは、スクリーン上に投影される画像の１つのピクセルを形成してもよい。マスク５００は、例えば、スリットマスク（slit mask）又はポイントマスク(point mask)であってもよい。異なる蛍光層は、例えば、マスクのホールに配置される。
【００３４】
従って、マスク５００は、光を伝達しない領域４９９及び蛍光領域５０３を含む。マスク５００は、基板５０１に配置される。図５の例では、３つの蛍光領域５０３−１、５０３−２、５０３−３が、夫々、ある波長の紫外光によって励起可能な蛍光材料で形成されることが示されている。図５の例では、第１の蛍光領域５０３−１は、波長λＵＶ１の紫外光５０２−１によって励起可能である。第２の蛍光領域５０３−２は、波長λＵＶ２の第２の紫外光５０２−２によって励起可能であり、第３の蛍光領域５０３−３は、波長λＵＶ３の第３の紫外光５０２−３によって励起可能である。このようにして、この実施形態によれば、異なる波長の紫外光は、例えば、異なる波長λＵＶ１、λＵＶ２、λＵＶ３で異なる紫外光の光を放射する３つの紫外レーザによって提供されてもよい。
【００３５】
第１〜第３の蛍光領域５０３−１、５０３−２、５０３−３は、異なる波長の可視光５０４を放射する。第１の蛍光領域５０３−１は、波長λＶＩＳ１の第１の可視光５０４を放射する。第２の蛍光領域５０３−２は、波長λＶＩＳ２の第２の可視光５０４−２を放射し、第３の蛍光領域５０３−３は、波長λＶＩＳ３の第２の可視光５０４−３を放射する。
【００３６】
第１〜第３の可視光５０４−１、５０４−２、５０４−３は、夫々、例えば、ＲＧＢ色空間の原色を表示する赤、緑、青色の光に対応していてもよい。
【００３７】
更に、マスク５００は、正面及び背面の投影に用いられてもよい。
【００３８】
図６は、スクリーン６００が蛍光層６０２を含む本発明の他の実施形態を示す。蛍光層６０２は、蛍光層のみであってもよく、波長λＵＶの紫外光６０１によって励起可能であってもよい。図６では、同じ波長の３つの紫外光線６０１を示し、上記光線の夫々が、蛍光層６０２の異なるピクセル、ライン、及び／又は領域を励起してもよい。光線６０１は、プロジェクタの単一のレーザによって生成されてもよく、光線６０１は、蛍光層６０２の表面を走査して、画像を立ち並べて生成する。
【００３９】
更に、スクリーン６００は、基板６０７上に配置されるマスク６０４を含む。図６に示すように、蛍光層６０２と基板６０７とが、マスク６０４を挟み込む。
【００４０】
マスク６０４は、光を透過しない領域６０６及びカラーフィルター６０８を含む。カラーフィルター６０８は、例えば、ＲＧＢ色空間の原色を表示する赤、緑、及び青色の可視光を生成するように構成される。図６の例では、第１のカラーフィルター６０８−１が可視白色光をフィルターするように構成され、このようにして可視赤色光６１０−１を生成する。更に、第２のカラーフィルター６０８−２は、可視白色光をフィルターするように構成され、緑色光６１０−２を生成する。更に、また、第３のカラーフィルター６０８−３は、可視白色光をフィルターするように構成され、可視青色光６１０−３を生成する。
【００４１】
このようにして、図６の実施形態によれば、スクリーン６００に生成される画像のサブピクセル及び／又はピクセルを生成するために、蛍光層６０２の励起により生成される可視白色光が、上記マスク６０４の異なるカラーフィルター６０８でフィルターされてもよい。
【００４２】
図６の実施形態によれば、プロジェクタは、単一の（共通の）波長λＵＶの紫外光を提供する１つの紫外レーザを含むことのみを必要としてもよいということは留意すべき点である。
【００４３】
可視白色光６０３は、例えば、散乱白色光に対応していてもよい。
【００４４】
適用に応じて、３つのカラーフィルター６０８−１、６０８−２、及び６０８−３は、スクリーン６００に表示される画像の１つの画像ピクセルを形成してもよい。
【００４５】
更に、スクリーン６００は、正面及び背面の投影で用いられてもよい。
【００４６】
図７は、マイクロレンズ７０３が基板７０２の表面又は正面に形成されるスクリーン７００についての他の実施形態を示す。スクリーン７００は、基板７０２に配置される反射層７０５を更に含む。反射層７０５は、例えば、ピンホールやスリット等のホール７０６を含む。マイクロレンズ７０３は、平行な紫外光７０１がホール７０６に集められるように配置される。このようにして、スクリーン７００の効率及び／又は照射強度は改善されてもよい。また、光の３６０度照射は、回避されてもよい。
【００４７】
反射層７０５では、蛍光層７０７が配置される。蛍光層７０７は、集められた紫外光７０１’での励起により、可視光７１０を放射する。
【００４８】
可視光７１０は、反射部分７１０−１及び残存部分７１０−２を含んでいてもよい。反射部分７１０−１は、反射層７０５の方向に放射される光に対応する。反射部分７１０−１は、視聴者６９９の視聴方向に向かって反射層７０５によって反射される。
【００４９】
スクリーンを保護するために、保護層７０９が蛍光層７０７上に配置されてもよい。
【００５０】
図７に示していないが、マイクロレンズの配置は、上述した実施形態と組み合わされてもよく、すなわち、マスク７０５のホール７０６の後ろで蛍光領域を配置することが可能であり、夫々の領域は、ＲＧＢ色空間の原色の１つに対応する赤、緑、又は青色光を生成するように構成されてもよいということは留意すべき点である。また、赤、緑、青色光を生成するために可視光７１０をフィルターする保護層７０９と蛍光層７０７との間に夫々のカラーフィルターを配置することが可能である。
【００５１】
マイクロレンズ７０３は、２Ｄ格子に配置されてもよく、シリンダー形のレンズの直線配置に従って配置されてもよい。
【００５２】
更に、図７の配置は、正面及び背面の投影に用いられてもよい。
【図１】
2010524019.tif 000003
【図２】
2010524019.tif 000004
【図３】
2010524019.tif 000005
【図４】
2010524019.tif 000006
【図５】
2010524019.tif 000007
【図６】
2010524019.tif 000008
【図７】
2010524019.tif 000009
【国際調査報告】
2010524019.tif 000010
2010524019.tif 000011
2010524019.tif 000012